(57)【要約】【課題】名刺型ポータブルディスク構造の提供。【解決手段】完全に平面であるパネル及びリフト可能なコネクターを結合した構造設計で、該コネクター正面には往復移動可能な蓋板を設置する。パネル正面は広告を印刷し、また各種図案を接着し使用することができ、該パネルの正面パネルは交換可能である。使用時には、該コネクターは１８０度持ち上げ、及びリフトの角度を調整可能で、パネルは水平を呈し、或いは写真立てのように直立する。こうして広告と各種平面設計の内容を展示可能で、商品などの広告目的と人の目を引き付ける性能と効果を達成する。【選択図】図３
0003131881.tif 000002
【実用新案登録請求の範囲】
【請求項１】
パネルの背面には槽体と凹部を凹設し、該槽体前端には挿入孔、末端両側には軸孔を設置し、コネクター後部両側の凸軸と挿入、係合し、こうして該コネクターは軸方向にリフトが可能となり、また該コネクターの前端にはコネクターの金属表面を設置し、該コネクターの背面には前後に往復移動が可能なスライドレール式の蓋板を設置し、該蓋板前端には凸挿部を設置することを特徴とする名刺型ポータブルディスク構造。
【請求項２】
請求項１記載の名刺型ポータブルディスク構造において、前記パネルが接合するコネクターは該槽体に嵌設し、該蓋板により前方へと押され、該凸挿部により該槽体の挿入孔に挿入、定位され、こうして該コネクターの移動を防止し、該コネクターの金属表面を保護し、
使用時には、別に該蓋板を押すだけで、該凸挿部は該挿入孔を離脱し、こうして指で該凹部において該コネクターを持ち上げ使用することができ、そのリフトの角度は１８０度の範囲内であることを特徴とする名刺型ポータブルディスク構造。
【請求項３】
請求項１記載の名刺型ポータブルディスク構造において、前記パネルの正面パネルは交換式パネルで、交換使用が可能であることを特徴とする名刺型ポータブルディスク構造。
【考案の詳細な説明】
【技術分野】
【０００１】
本考案は一種の名刺型ポータブルディスク構造に関する。特に一種の携帯に便利なポータブルディスクで、完全に平面であるパネルを備え、リフトが可能なコネクターを結合する名刺型ポータブルディスク構造に係る。
【背景技術】
【０００２】
現在、電子製品は多様化が進んでいるが、USBポータブルディスクは極めて高い使用率とニーズを備える。一方、一般のUSBポータブルディスクは体積が小さいため、広告を印刷可能なパネルには限界があった。
図１に示すように、広告パネルを備えた名刺型ポータブルディスクの構造設計はパネル１０の適当な位置に凸字型を呈する穿孔１０１を開設する。さらに図２に示すように、該穿孔１０１は該コネクター２０と伝送導線２０１を設置及び収容し係合定位する。
【０００３】
しかし、図１に示すように、該パネル１０の穿孔１０１は印刷広告平面を不完全にしてしまい、また外観が美しくない。さらに図２に示すように、該コネクター２０の使用時には、指で該コネクター２０を該穿孔１０１から押し出すため、該コネクター２０の伝送導線２０１は湾折形態を呈するが、長期にわたり該伝送導線２０１を湾折状態で使用すると、内部の伝送合金線が屈折により損壊する恐れがある。
また使用時に、該伝送導線２０１は該パネル１０面から垂れ下がるため、該広告パネル１０面は平坦とならず、広告が不完全となってしまう。
【考案の開示】
【考案が解決しようとする課題】
【０００４】
本考案は携帯可能な名刺型ポータブルディスク構造を提供し、それは完全に平面であるパネル及びリフト可能なコネクターを結合した構造設計で、該コネクター正面には往復移動可能な蓋板を設置し、
パネル正面には広告を印刷し、また各種図案を接着し使用することができ、該パネルの正面パネルは交換可能で、
使用時には、該コネクターは１８０度持ち上げ、及びリフトの角度を調整可能で、パネルは水平を呈し、或いは写真立てのように直立し、こうして広告と各種平面設計の内容を展示可能で、商品などの広告目的と人の目を引き付ける性能と効果を達成する名刺型ポータブルディスク構造を提供する。
【課題を解決するための手段】
【０００５】
請求項１の考案は、パネルの背面には槽体と凹部を凹設し、該槽体前端には挿入孔、末端両側には軸孔を設置し、コネクター後部両側の凸軸と挿入、係合し、こうして該コネクターは軸方向にリフトが可能となり、また該コネクターの前端にはコネクターの金属表面を設置し、該コネクターの背面には前後に往復移動が可能なスライドレール式の蓋板を設置し、該蓋板前端には凸挿部を設置することを特徴とする名刺型ポータブルディスク構造としている。
請求項２の考案は、請求項１記載の名刺型ポータブルディスク構造において、前記パネルが接合するコネクターは該槽体に嵌設し、該蓋板により前方へと押され、該凸挿部により該槽体の挿入孔に挿入、定位され、こうして該コネクターの移動を防止し、該コネクターの金属表面を保護し、
使用時には、別に該蓋板を押すだけで、該凸挿部は該挿入孔を離脱し、こうして指で該凹部において該コネクターを持ち上げ使用することができ、そのリフトの角度は１８０度の範囲内であることを特徴とする名刺型ポータブルディスク構造としている。
請求項３の考案は、請求項１記載の名刺型ポータブルディスク構造において、前記パネルの正面パネルは交換式パネルで、交換使用が可能であることを特徴とする名刺型ポータブルディスク構造としている。
【考案の効果】
【０００６】
本考案は広告と各種平面設計の内容を展示可能で、商品などの広告目的と人の目を引き付ける性能と効果を達成する。
【考案を実施するための最良の形態】
【０００７】
本考案の構造立体分解表示図である図３に示すように、パネル４０の背面には槽体４０１と凹部４０１aを凹設する。該槽体４０１前端には挿入孔４０２を設置し、末端両側には軸孔４０３を設置し、コネクター５０後部両側の凸軸５０２と挿入、係合する。こうして該コネクター５０は軸方向にリフトが可能となり、また該コネクター５０の前端にはコネクター５０の金属表面を設置する。該コネクター５０の背面には前後に往復移動が可能なスライドレール式の蓋板６０を設置する。該蓋板６０前端には凸挿部６０１を設置する。
【０００８】
本考案の構造実施動作表示図である図４に示すように、該パネル４０が接合するコネクター５０は該槽体４０１に嵌設し、該蓋板６０により前方へと押され、該凸挿部６０１により該槽体４０１の挿入孔４０２に挿入、定位される。こうして該コネクター５０の移動を防止し、該コネクター５０の金属表面を保護する。使用時には、別に該蓋板６０を押すだけで、該凸挿部６０１は該挿入孔４０２を離脱する。こうして指で該凹部４０１aにおいて該コネクター５０を持ち上げ使用することができる（図５、６参照）。そのリフトの角度は１８０度の範囲内である。
【０００９】
本考案の実施例表示図である図５に示すように、該パネル４０と該コネクター５０は１８０度の水平角度にまで開き定位使用することができる。これにより該パネル４０の正面は完全な平面となり、広告を印刷することができる。また該パネル４０の正面パネルは交換式パネルとすることもできる。
【００１０】
本考案の別種の実施例表示図である図６に示すように、該パネル４０と該コネクター５０は９０度以下に開き定位することができ、これにより写真立てのように机上に立て広告内容を展示することができる。
【図面の簡単な説明】
【００１１】
【図１】公知の名刺型ポータブルディスクの立体表示図である。
【図２】公知の名刺型ポータブルディスクの実施動作立体表示図である。
【図３】本考案の構造立体分解表示図である。
【図４】本考案の構造実施動作表示図である。
【図５】本考案の実施例表示図である。
【図６】本考案の別種の実施例表示図である。
【符号の説明】
【００１２】
１０  パネル
１０１  穿孔
２０  コネクター
２０１  伝送導線
４０  パネル
４０１  槽体
４０１a  凹部
４０２  挿入孔
４０３  軸孔
５０  コネクター
５０１  金属表面
５０２  凸軸
６０  蓋板
６０２  凸挿部
【図１】
0003131881.tif 000003
【図２】
0003131881.tif 000004
【図３】
0003131881.tif 000005
【図４】
0003131881.tif 000006
【図５】
0003131881.tif 000007
【図６】
0003131881.tif 000008